(57)【要約】【課題】浮上油回収口の近傍では、流路が形成されて液面に浮上した油を随時流出させているが、浮上油回収口から遠い位置では、液面に浮上した油がよどみ、浮上した油が異物と共に腐蝕したりして液面を汚くし更に異臭を放つこともあった。  また、液面に浮上した油を流出させる浮上油回収口は、液面の近傍に位置していたが、浮上油回収口を液面より高くすると液面に浮上した油の停滞時間が長くなり、浮上油回収口を液面より低くすると水分を含んだ油を排出することがあった。【解決手段】ポンプ８０でドレン水を送り込み軽い油を浮上させることにより油を分離する浮上油回収方法において、浮上した油を排出する場所である浮上油回収口５１ｂを安定した状態を保っている静水面５０ｚより高く位置させ、液面上昇手段５２、５５、５６、８０によって浮上した油を浮上油回収口５１ｂまで持ち上げた。【選択図】              図１
2005021845.tif 000002
【特許請求の範囲】
【請求項１】
ポンプ（８０）でドレン水を送り込み軽い油を浮上させることにより油を分離する浮上油回収方法において、浮上した油を排出する場所である浮上油回収口（５１ｂ）を安定した状態を保っている静水面（５０ｚ）より高く位置させ、液面上昇手段（５２、５５、５６、８０）によって浮上した油を前記浮上油回収口（５１ｂ）まで持ち上げることを特徴とする浮上油回収方法。
【請求項２】
前記液面上昇手段（５２、５５、５６、８０）を複合させて使用することを特徴とする請求項１に記載の浮上油回収方法。
【請求項３】
前記液面上昇手段（５２、５５、５６、８０）は、前記ポンプ（８０）として脈動を発生させ易いベローズポンプを使用する脈動発生手段（８０）、前記ポンプ（８０）でドレン水を送り込んでから浮上した油を排出するまでの流路を狭くなって行くようにする流路狭間手段（５２、５５）、波を立たせ易くさせる波発生板（５６）をもうけた波動発生手段（５６）によるもののいずれかであることを特徴とする請求項１または請求項２に記載の浮上油回収方法。
【請求項４】
底部（５４）を一体に形成した外筒（５１）と前記底部（５４）近傍で内外との連通を可能とする連通口（５２ａ）を備えた内筒（５２）によって外側に油を浮上させる外槽（５０ａ）と内側に油を取り除いたドレン水を溜める内槽（５０ｂ）を形成し、前記内槽（５０ａ）に溜まったドレン水を安定した状態に保っている静水面（５０ｚ）近傍より取り入れ前記底部（５４）のドレン出口（５４ａ）より排出するドレン排出管（５３）を備え、前記外筒（５１）の前記静水面（５０ｚ）近傍にポンプ（８０）によって圧送したドレン水を前記外槽（５０ａ）に送り込むドレン入口（５１ａ）と前記外槽（５０ａ）の前記静水面（５０ｚ）に浮上した油を排出させる浮上油回収口（５１ｂ）を形成した分離槽（５０）を主体とする浮上油回収装置において、前記ポンプ（８０）は脈動を発生させ易いベローズポンプを使用するものであり、前記浮上油回収口（５１ｂ）は前記静水面（５０ｚ）より高い所に位置しているものであり、前記静水面（５０ｚ）に浮上した油を液面上昇手段（５２、５４、５５）によって前記浮上油回収口（５１ｂ）まで持ち上げることを特徴とする浮上油回収装置。
【請求項５】
前記液面上昇手段（５２）として、浮上した油が前記ドレン入口（５１ａ）から前記浮上油回収口（５１ｂ）に至るまでの流路が狭くなって行くように、前記内筒（５２）の位置を前記浮上油回収口（５１ｂ）側に偏心させた流路狭間手段（５２）によるものであることを特徴とする請求項４に記載の浮上油回収装置。
【請求項６】
前記液面上昇手段（５５）として、浮上油が前記ドレン入口（５１ａ）から前記浮上油回収口（５１ｂ）に至る流路が狭くなるように前記内筒（５２）の外側に狭め板（５５）を配設した流路狭間手段（５５）を付加したものであることを特徴とする請求項５に記載の浮上油回収装置。
【請求項７】
前記浮上油回収口（５１ｂ）と前記ドレン排出管（５３）上部の間の高さを調整可能とする高さ調整手段（１５２）を設けたことを特徴とする請求項４ないし請求項６のいずれか１項に記載の浮上油回収装置。
【発明の詳細な説明】
【０００１】
【発明の属する技術分野】
本発明は、浮上油回収方法および回収装置に関する技術であって、更に詳細に述べると、水面に浮上した油を停滞させないで円滑に除去し易くするようにした、浮上油回収方法および回収装置の技術に関するものである。
【０００２】
【従来の技術】
従来の、浮上油回収方法および回収装置に関する技術としては、液面に浮上した油を浮上油回収口から流出していくのを待っている構造のものが一般的であった。  その場合、液面に浮上した油を流出させる浮上油回収口は、回収装置の液面の近傍に固定して位置していた。
【０００３】
【発明が解決しようとする課題】
しかしながら、このような従来の、浮上油回収方法および回収装置に関する技術に関しては、以下に示すような課題があった。
【０００４】
第一に、浮上油回収口の近傍では、流路が形成されて液面に浮上した油を随時流出させているが、浮上油回収口から遠い位置では、液面に浮上した油がよどみ、その結果浮上した油が異物と共に腐蝕したりして液面を汚くし更に異臭を放つこともあった。
【０００５】
第二に、液面に浮上した油を流出させる浮上油回収口は、液面の近傍に位置していたが、浮上油回収口を液面より高くすると液面に浮上した油の停滞時間が長くなり、その結果浮上した油が異物と共に腐蝕したりして液面を汚くし更に異臭を放つこともあり、浮上油回収口を液面より低くすると水分を含んだ油を排出することがあった。
本発明はこのような課題を解決することを目的としている。
【０００６】
【課題を解決するための手段】
本発明は、ポンプ８０でドレン水を送り込み軽い油を浮上させることにより油を分離する浮上油回収方法において、浮上した油を排出する場所である浮上油回収口５１ｂを安定した状態を保っている静水面５０ｚより高く位置させ、液面上昇手段５２、５５、５６、８０によって浮上した油を前記浮上油回収口５１ｂまで持ち上げることを特徴とし、更には、前記液面上昇手段５２、５５、５６、８０を複合させて使用することを特徴とし、更には、前記液面上昇手段５２、５５、５６、８０は、前記ポンプ８０として脈動を発生させ易いベローズポンプを使用する脈動発生手段８０、前記ポンプ８０でドレン水を送り込んでから浮上した油を排出するまでの流路を狭くなって行くようにする流路狭間手段５２、５５、波を立たせ易くさせる波発生板５６をもうけた波動発生手段５６によるもののいずれかであることを特徴とすることによって、上記課題を解決した。
【０００７】
また本発明は、底部５４を一体に形成した外筒５１と前記底部５４近傍で内外との連通を可能とする連通口５２ａを備えた内筒５２によって外側に油を浮上させる外槽５０ａと内側に油を取り除いたドレン水を溜める内槽５０ｂを形成し、前記内槽５０ａに溜まったドレン水を安定した状態に保っている静水面５０ｚ近傍より取り入れ前記底部５４のドレン出口５４ａより排出するドレン排出管５３を備え、前記外筒５１の前記静水面５０ｚ近傍にポンプ８０によって圧送したドレン水を前記外槽５０ａに送り込むドレン入口５１ａと前記外槽５０ａの前記静水面５０ｚに浮上した油を排出させる浮上油回収口５１ｂを形成した分離槽５０を主体とする浮上油回収装置において、前記ポンプ８０は脈動を発生させ易いベローズポンプを使用するものであり、前記浮上油回収口５１ｂは前記静水面５０ｚより高い所に位置しているものであり、前記静水面５０ｚに浮上した油を液面上昇手段５２、５４、５５によって前記浮上油回収口５１ｂまで持ち上げることを特徴とし、更には、前記液面上昇手段５２として、浮上した油が前記ドレン入口５１ａから前記浮上油回収口５１ｂに至るまでの流路が狭くなって行くように、前記内筒５２の位置を前記浮上油回収口５１ｂ側に偏心させた流路狭間手段５２によるものであることを特徴とし、更には、前記液面上昇手段５５として、浮上油が前記ドレン入口５１ａから前記浮上油回収口５１ｂに至る流路が狭くなるように前記内筒５２の外側に狭め板５５を配設した流路狭間手段５５を付加したものであることを特徴とし、更には、前記浮上油回収口５１ｂと前記ドレン排出管５３上部の間の高さを調整可能とする高さ調整手段１５２を設けたことを特徴とすることによって、上記課題を解決した。
【０００８】
【発明の実施の形態】
本願発明による、浮上油回収方法および回収装置を、図面と共に詳細に説明する。
ここで、図１は、本願発明である分離槽の正面図とドレン貯溜槽の接続図で液面は安定した状態を保っている静水面を示しているものであり、図２は、本願発明である分離槽の正面図とドレン貯溜槽の接続図で液面は静水面と波面を示しているものであり、図３は、本願発明の分離槽の平面図であり、図４は、本願発明の浮上油回収口の詳細図である。
【０００９】
図１と図２に見られるように、５０は分離槽であり、外筒５１と底部５４と内筒５２とドレン排出管５３が一体に形成されている。  この場合、一体という意味は、外筒５１と内筒５２とドレン排出管５３が底部５４に溶接やロー付けや接着材によって固定したものであり、固定や漏れに対応出来れば、底部５４に類似したものを二枚準備して上下に位置させ、その間にシール等を使用しながらスタッドボルトやボルトとナットで固定することも考えられる。  また、図１と図２ではドレン排出管５３は、座を介して固定している。
【００１０】
尚、ドレン排出管５３は、上端は常に安定した状態を保っている静水面５０ｚに位置するものであり、下端は底部５４に固定していて底部５４を貫通させてドレン出口５４ａに接続している。
【００１１】
ところで、内筒５２は外筒５１に対して浮上油回収口５１ｂの側に偏心した状態で位置させ、内筒５２の外側と外筒５１の内側に外槽５０ａを形成し、内筒５２の内側に内槽５０ｂを形成している。
【００１２】
また、内筒５２の下端は底部５４に固定していて、底部５４の近傍に単数または複数の連通口５２ａを形成して外槽５０ａと内筒５２の下部で連通可能となっている。
【００１３】
一方、外筒５１には、ドレン入口５１ａと浮上油回収口５１ｂを、略直径上に位置するように形成させている。  尚、ドレン入口５１ａは、流入管７１によってドレン貯溜槽７０と接続していて、流入管７１の途中にはドレン貯溜槽７０に貯溜されたドレン水をポンプ８０で圧送することによって流入可能にしているのである。
【００１４】
ここで、ポンプ８０として脈動を発生し易いベローズポンプを使用することで、図２に見られるように、液面がドレン入口５１ａの側から浮上油回収口５１ｂの側に向かって波を立たせるという脈動発生手段８０としての効果をもたらしていて、液面上昇手段８０と見なすことが出来るのである。
【００１５】
この場合、ドレン入口５１ａは、常に安定した状態を保っている静水面５０ｚ近傍に位置していれば良いとも言えるが、泡立ちのしにくい状態を保つ意味から常に安定した状態を保っている静水面５０ｚの下部に位置しているのが最も望ましく、浮上油回収口５１ｂは、常に安定した状態を保っている静水面５０ｚの上部に位置するのが理想的である。
【００１６】
ここで、浮上油回収口５１ｂは、図４の（Ａ）（Ｂ）（Ｃ）の側面から見た図に見られるように、外管１５１と内管回動部１５２より構成され、内管回動部１５２は内管１５２ａと堰１５２ｂとハンドル１５２ｃを一体に形成しているのである。  この場合、内管回動部１５２は外管１５１に収納されていて、ハンドル１５２ｃを操作することによって回動することが出来るようになっていて、図４の（Ａ）（Ｂ）（Ｃ）に見られるように、浮上油回収口５１ｂとドレン排出管５３上端との間でＸ〜Ｚの位置を自由に選択することが出来る高さ調整手段１５２を構成しているのである。
【００１７】
但し、高さ調整手段１５２に関しては、内管回動部１５２の方式に限定される訳ではなく、上下に移動して堰の高さを自由に選択する方式も考えられるし、ドレン排出管５３を上下させる方式も考えられる。  尚、図４の（Ｄ）に関しては、内管１５２ａと堰１５２ｂとハンドル１５２より形成される内管回動部１５２を示したものである。
【００１８】
所で、内筒５２は外筒５１に対して浮上油回収口５１ｂの側に偏心した状態で位置させている。  その理由は、内筒５２を偏心させることで、図３に見られるように、ドレン入口５１ａの側から浮上油回収口５１ｂの側に流路を狭めていく流路狭間手段５２を達成することが可能となり、その結果、図２の外槽５０ａの波面５０ｙに見られるように、ドレン入口５１ａの側から浮上油回収口５１ｂの側に向かって液面を上昇させるという効果をもたらしているのであり、液面上昇手段５２と見なすことが出来るのである。
【００１９】
また、内筒５２外側の浮上油回収口５１ｂ側に向かう流路に沿っての上下方向に常に安定した状態を保っている静水面５０ｚを中心に位置させて狭め板５５を設けることによって、ドレン入口５１ａの側から浮上油回収口５１ｂの側に流路を狭めていく流路狭間手段５５を達成することが可能となり、その結果、図２の外槽５０ａの波面５０ｙに見られるように、ドレン入口５１ａの側から浮上油回収口５１ｂの側に向かって液面を上昇させるという効果をもたらしているのであり、液面上昇手段５５と見なすことが出来るのである。
【００２０】
尚、狭め板５５の固定方法に関しては、溶接やロー付けやネジ止めによるもの等が考えられる。  ここで、図２において静水面５０ｚは内槽５０ｂの液面を、波面５０ｙは外槽５０ａの液面を示している。
【００２１】
更に、外槽５０ａのドレン入口５１ａの側から浮上油回収口５１ｂの側に至る流路の浮上油回収口５１ｂ側の狭くなりだした途中に、波発生板５６を液面に沿って位置させ、浮上油回収口５１ｂの側を高く傾斜させることによって、図２の外槽５０ａの波面５０ｙに見られるように、液面がドレン入口５１ａの側から浮上油回収口５１ｂの側に向かって波を立たせた波面５０ｙを発生させる波動発生手段５６という効果をもたらしているのであり、液面上昇手段５６と見なすことが出来るのである。  尚、波発生板５６の位置に関しては、図１や図２に見られる波面５０ｙの下部に限定される訳ではなく、もっと波面５０ｙに近い位置も考えられる。
【００２２】
尚、液面上昇手段５２、５５、５６、８０に関しては、液面上昇手段５２、５５、５６、８０を各々単数の使用でも効果があるし、複数組を複合して使用すると効果は更に倍加されて行く。
【００２３】
本発明による、浮上油回収方法および回収装置は前述したように構成されており、以下に、その動作について詳細に説明する。
【００２４】
先ず、ドレン貯溜槽７０にドレン水が溜まっている状態からポンプ８０を作動させるとドレン水が分離槽５０に送り込まれる。  この場合、ポンプ８０として脈動を発生し易いベローズポンプを使用すると脈動発生手段８０としての作用を示し、ドレン水が分離槽５０に送り込まれる際に液面に波が発生し易くなり液面上昇手段８０としての効果がもたらされるのである。
【００２５】
そこで、分離槽５０に送り込まれたドレン水は、外槽５０ａの液面に油を浮上させ、油を分離したドレン水は内筒５２の下部に形成された連通口５２ａを通って内槽５０ｂに流入し、液面に位置しているドレン排出管５３からドレン出口５４ａを通ってドレン水を排出するようになっている。
【００２６】
一方、外槽５０ａの液面に浮上した油は、ポンプ８０によって送り込まれるドレン水によって流路を形成し、浮上油回収口５１ｂの方に押しやられる。  その際、外筒５１の内部に在る内筒５２の位置を浮上油回収口５１ｂ側に偏心させたり内筒５２の外側に流路にそって上下方向に位置している狭め板５５を設けることによって流路を狭めていくことを目的とする流路狭間手段５２、５５を形成し、それによってドレン入口５１ａから浮上油回収口５１ｂに向かって液面を上昇させる液面上昇手段５２，５５の役目を果たしているのである。
【００２７】
また、ドレン入口５１ａから浮上油回収口５１ｂに至る流路の浮上油回収口５１ｂ側の途中に、波発生板５６を水面に沿って位置させ、浮上油回収口５１ｂの側を高く位置させることによって、液面がドレン入口５１ａの側から浮上油回収口５１ｂの側に向かって波を立たせる波面５０ｙを発生させる波動発生手段５６という効果をもたらしているのであり、液面上昇手段５６と見なすことが出来るのである。
【００２８】
この場合、液面上昇手段５２、５５、５６、８０に関しては、図１と図２では全てを同時に使用するように示しているが液面上昇手段５２、５５、５６、８０を各々単独の使用でも良いし、二組または三組を複合して使用することも考えられる。
【００２９】
尚、浮上油回収口５１ｂにおいて、内管回動部１５２を形成しているハンドル１５２ｃによって内管回動部１５２を回動することによって堰１５２ｂの位置を変化させドレン排出管５３からの高さを自由に選択することが可能となっているのである。
【００３０】
【発明の効果】
以上の説明から明らかなように、本発明により、下記のような効果をあげることができる。
【００３１】
第一に、各種の液面上昇手段を単独でおよび複合して併用することによって、分離して浮上した油を特定の場所に滞溜させることもなく、浮上した油だけを順次排出させることが可能となった。
【００３２】
第二に、浮上油回収口を静水面より高く位置させることで、浮上した油だけを排出させることが可能となった。
【００３３】
第三に、高さ調整手段によって浮上油回収口とドレン排出管の間を調整することで、ドレン水に対する油の混入状況によって適宜変化させることが可能となった。
【図面の簡単な説明】
【図１】本願発明である分離槽の正面図とドレン貯溜槽の接続図で液面は安定した状態を保っている静水面を示している
【図２】本願発明である分離槽の正面図とドレン貯溜槽の接続図で液面は静水面と波面を示している
【図３】本願発明の分離槽の平面図
【図４】本願発明の浮上油回収口の詳細図
【符号の説明】
５０・・・・・分離槽
５０ａ・・・・外槽
５０ｂ・・・・内槽
５０ｙ・・・・波面
５０ｚ・・・・静水面
５１・・・・・外筒
５１ａ・・・・ドレン入口
５１ｂ・・・・浮上油回収口
５２・・・・・内筒、（流路狭間手段、液面上昇手段）
５２ａ・・・・連通口
５３・・・・・ドレン排出管
５４・・・・・底部
５４ａ・・・・ドレン出口
５５・・・・・狭め板、（流路狭間手段、液面上昇手段）
５６・・・・・波発生板、（波動発生手段、液面上昇手段）
７０・・・・・ドレン貯溜槽
７１・・・・・流入管
８０・・・・・ポンプ、（脈動発生手段、液面上昇手段）
１５１・・・・外管
１５２・・・・内管回動部、（高さ調整手段）
１５２ａ・・・内管
１５２ｂ・・・堰
１５２ｃ・・・ハンドル
Ｘ・・・・・・最大高さ
Ｙ・・・・・・途中の高さ
Ｚ・・・・・・最小高さ
【図１】
2005021845.tif 000003
【図２】
2005021845.tif 000004
【図３】
2005021845.tif 000005
【図４】
2005021845.tif 000006